(57)【要約】【課題】  本発明は、アイラインを描くときにまつ毛が邪魔にならないことを課題とする。また、アイラインのラインが崩れたりはみ出したりせず所定の線に沿ってきれいに描けることを課題とする。【解決手段】  瞼にアイラインを描くための補助具であって、該補助具は把持部を有し、把持部の端部にまつ毛の押え部が形成され、押え部が把持部よりも肉厚に形成されることにより、押え部が、顔と対向する把持部の内面よりも顔方向に突出しており、押え部の端部が凹の弧状をなすように形成されている【選択図】  図１
2007215754.tif 000002
【特許請求の範囲】
【請求項１】
瞼にアイラインを描くための補助具であって、該補助具は把持部を有し、把持部の端部にまつ毛の押え部が形成され、押え部が把持部よりも肉厚に形成されることにより、押え部が、顔と対向する把持部の内面よりも顔方向に突出しており、押え部の端部が凹の弧状をなすように形成されていることを特徴とする補助具。
【請求項２】
押え部の端部に突条が設けられ、該突条は端部の長さ方向に延びている請求項１記載の補助具。
【請求項３】
押え部の内面は柔軟性を有する合成樹脂で形成され、突条は押え部の内面の材料よりも硬く且つ摩擦係数が小さな材料で形成されている請求項１又は請求項２記載の補助具。
【請求項４】
瞼にアイラインを描くための補助具であって、該補助具は把持部を有し、把持部には複数の押え部が形成され、押え部の端部は凹の弧状をなすように形成され、各端部の弧状の半径はそれぞれ異なっていることを特徴とする補助具。
【請求項５】
瞼にアイラインを描くための補助具であって、該補助具は把持部を有し、把持部の端部に押え部が形成され、押え部の内面は柔軟性を有する合成樹脂で形成され、使用時に把持部の指の触れる少なくともいずれかの表面が前記押え部の内面と一体に形成されていることを特徴とする補助具。
【発明の詳細な説明】
【技術分野】
【０００１】
本発明は、化粧時にアイラインを瞼に描くための補助具に関する。
【背景技術】
【０００２】
瞼にアイラインを描くための補助具は存在する。（例えば、特許文献１参照。）。
【特許文献１】特開２００３−３０４９３０号公報
【発明の開示】
【発明が解決しようとする課題】
【０００３】
本発明は、アイラインを描くときにまつ毛が邪魔にならないことを課題とする。また、アイラインのラインが崩れたりはみ出したりせず所定の線に沿ってきれいに描けることを課題とする。
【０００４】
前記特許文献１の発明は、目の周囲のまつ毛の生え際や立体的な瞼の形状に応じて自由に曲面を変更して瞼や目の周りと滑らかに当接でき、まつ毛にマスカラを塗布したり、目の周りのアイラインを描いたり、あるいは付けまつ毛を付けたり、まつ毛に付いたマスカラのダマを容易に除去できる補助具である。すなわち、弾性覆い板及びその広幅先端を肉薄の弾性板で形成して変形容易とし、化粧の多用途に対応できるようにした発明である。しかし、多用途に対応できるようにしたことにより、個々の用途については最適な構造であるとは言い難い。アイラインを描くことについて言えば、特許文献１の弾性覆い板の広幅先端が肉薄であることが最適な構成であるとは言えない。また、変形容易であることも最適な構成であるとは言えない。
【０００５】
前記特許文献１の発明は、例えば上瞼にアイラインを描くときは、この公報の図６（ａ）に示されているように、補助具を上下逆さにして上瞼に弾性覆い板の広幅先端を宛がってアイラインを描く構成である。したがって、上まつ毛はそのままの状態であるからアイラインを描くときに上まつ毛が邪魔になる。
【０００６】
さらに、特許文献１の補助具は、弾性覆い板が肉薄で変形容易に形成されている。したがって、アイラインを描くときに弾性覆い板を瞼に宛がって位置を定めても、使用中に弾性覆い板が変形して広幅先端がぶれてアイラインがきれいに描けない虞がある。仮に、上瞼にアイラインを描くときに、補助具を上下逆さにしないで把持部を下にして、弾性覆い板は上瞼を覆わずに上まつげだけを下方に向くように覆ってアイラインを描いたとしても、広幅先端が簡単に変形して覆ったまつ毛が外に飛び出して邪魔になる虞がある。
【０００７】
そこで、本発明はアイラインを描くときにまつ毛が邪魔にならず、またアイラインをきれいに描くことができる補助具を提供することを目的とする。
【課題を解決するための手段】
【０００８】
請求項１は、瞼にアイラインを描くための補助具であって、該補助具は把持部を有し、把持部の端部にまつ毛の押え部が形成され、押え部が把持部よりも肉厚に形成されることにより、押え部が、顔と対向する把持部の内面よりも顔方向に突出しており、押え部の端部が凹の弧状をなすように形成されている構成である。
【０００９】
請求項２は、押え部の端部に突条が設けられ、該突条は端部の長さ方向に延びている要素が請求項１に付加された構成である。
【００１０】
請求項３は、押え部の内面は柔軟性を有する合成樹脂で形成され、突条は押え部の内面の材料よりも硬く且つ摩擦係数が小さな材料で形成されている要素が請求項１又は請求項２に付加された構成である。
【００１１】
請求項４は、瞼にアイラインを描くための補助具であって、該補助具は把持部を有し、把持部には複数の押え部が形成され、押え部の端部は凹の弧状をなすように形成され、各端部の弧状の半径はそれぞれ異なっている構成である。
【００１２】
請求項５は、瞼にアイラインを描くための補助具であって、該補助具は把持部を有し、把持部の端部に押え部が形成され、押え部の内面は柔軟性を有する合成樹脂で形成され、使用時に把持部の指の触れる少なくともいずれかの表面が前記押え部の内面と一体に形成されている構成である。
【発明の効果】
【００１３】
請求項１は、補助具が把持部を有し、把持部の端部にまつ毛の押え部が形成され、押え部が把持部よりも肉厚に形成されることにより、押え部が、顔と対向する把持部の内面よりも顔方向に突出しており、押え部の端部が凹の弧状をなすように形成されている。したがって、押え部が肉厚に形成されているので一定の強度を有しており、使用時に押え部が変形する虞がなくまつ毛を確実に覆うことができる。また、使用時に把持部は顔に接触せず、補助具の一部分である押え部のみが顔に接触する。その結果、補助具が顔の広範囲に接触するという違和感を減少させることができる。
【００１４】
請求項２は、押え部の端部に突条が設けられ、該突条は端部の長さ方向に延びている構成である。アイライナーを使用してアイラインを描くときにアイライナーを突条に宛がいながら描けば、アイライナーは突条によって支持されるので安定した状態でアイラインを描くことができる。したがって、アイラインのラインが崩れたりはみ出したりせずきれいに描くことができる。
【００１５】
請求項３は、押え部の内面は柔軟性を有する合成樹脂で形成され、突条は押え部の内面の材料よりも硬く且つ摩擦係数が小さな材料で形成されている。突条を押え部の内面と同じ柔軟性を有する材料で形成すると、そのような材料は通常摩擦係数も大きい。したがって、アイライナーが突条の上を接触しながら移動するときに、摩擦が大きいので円滑に移動しない虞がある。突条を押え部の内面の材料よりも硬く且つ摩擦係数の小さな材料で形成することによりアイライナーを円滑に移動できる。特に、筆状のアイライナーの場合は、突条の摩擦係数が大きいと筆先の毛が突条の摩擦により移動中に引っ張られるので筆先が乱れてきれいなアイラインを描くことができない。突条を摩擦係数の小さな材料とすることで、突条に接する毛が移動中に引っ張られることがなくアイラインをきれいに描くことができる。また、押え部の内面が柔軟性を有するので肌当りがよい。
【００１６】
請求項４は、補助具が把持部を有し、把持部には複数の押え部が形成され、押え部の端部は凹の弧状をなすように形成され、各端部の弧状の半径はそれぞれ異なっている。したがって、半径の異なる複数の端部が存在するから使用者は好みの弧状の半径を有する押え部を選択することができる。
【００１７】
請求項５は、補助具が把持部を有し、把持部の端部に押え部が形成され、押え部の内面は柔軟性を有する合成樹脂で形成され、使用時に把持部の指の触れる少なくともいずれかの表面が前記押え部の内面と一体に形成されている。通常、柔軟性を有する合成樹脂は摩擦係数が大きい性質を有している。したがって、その合成樹脂が把持部の指の触れる表面に形成されているので、使用時に把持部を持ったときに弾力性があって感触が良好であり、摩擦力が大きいので滑って補助具を落とす等の虞を回避できる。また、指の触れる部分と押え部の内面が一体に形成されているので、補助具の製造時にそれらを同時に成型することができるから製造が簡単でコストも抑えることができる。また、押え部の内面が柔軟性を有するので肌当りがよい。
【発明を実施するための最良の形態】
【００１８】
次に本発明を実施するための最良の形態について説明する。補助具１は縦長の板状であって、中央付近の幅が最も狭く両端に行くに従って幅広になるように形成されている。補助具１は把持部２を有しており、この把持部２の両端に押え部が形成されている。把持部２は不透明でもよいが透明又は半透明が好ましい。図５に示すように把持部２は反っている。これによって、使用時に把持部２を顔から離すことができて使い易い。双方の押え部はほぼ同じ構成であるから一方の押え部３について説明する。押え部３は把持部２よりも肉厚に形成され、把持部２よりも厚い分だけ内面側、すなわち使用時に顔方向に突出している。図１に示すように、押え部３は横長であって把持部２全体の長さの約５分の１である。すなわち、把持部２の長さは約５０ｍｍであり、押え部３の長さは約１０ｍｍである。したがって、使用時に把持部２は顔に接触せず、補助具の一部分のみが顔に接触する。その結果、補助具が顔の広範囲に接触するという違和感を減少させることができる。
【００１９】
図５に示すように押え部３は内層部４と外層部５の２層から成る。外層部５は把持部２をそのまま一体に延長して形成されている。把持部２と内層部４の材料は共に合成樹脂であるが、異なる合成樹脂である。把持部２は補助具１としての強度を保つために比較的硬質の合成樹脂を材料としている。材料として好ましくはＡＢＳ樹脂が使用されるがこれに限定されるものではない。他の合成樹脂であってもよく、木材や金属等の合成樹脂以外の材料であってもよい。また、押え部３は複数の合成樹脂でなく単一の合成樹脂等で一体に形成してもよい。
【００２０】
内層部４は柔軟性を有し且つ摩擦係数の大きな合成樹脂が使用される。例えば、熱可塑性エラストマーが使用される。好ましい硬度はショアＡ２０乃至ショアＤ４０である。しかし、熱可塑性エラストマーに限定されるものでなく他の合成樹脂等の材料であってもよい。さらに、内層部４は把持部２と一体の構成であってもよい。補助具１の全体の重さは約６ｇである。寸法は、図２における縦の最大の長さが約８０ｍｍであり、横の最大の長さが約３５ｍｍである。押え部３の厚みは約５ｍｍである。
【００２１】
図１に示すように内層部４の内面８は凹の弧状曲面をなすように形成されている。また、この内面８の凹の弧状形状に合わせて、把持部２の押え部３寄りの部分も弧状に形成されている。さらに、押え部３の端部１０の端面９は凹の弧状曲面に形成されている。図５に示すように押え部３の端部１０の端面９は断面が水平であるが、これに限定されるものでなく、他の形状であってもよい。例えば、断面形状が山形をなしてもよい。
【００２２】
図６及び図７に示すように、上瞼１９にアイラインを描くときは、把持部２を下にして押え部３が上になるように補助具１を持つ。次いで、目を閉じて押え部３の端部１０を上まつ毛の根元付近にあてがって、押え部３の内面８で上まつ毛２０を下方に曲げるように押し、そのまま下瞼２１に押し付ける。これによって、上まつ毛２０は内面８と下瞼２１の間に挟まれる。そうすることにより、上まつ毛２０が邪魔になることなく上瞼１９にアイラインを描くことができる。
【００２３】
また、本発明の使用時における補助具の上下は前記特許文献１と同じようにして使用することもできるが、好ましくは上述したように特許文献１と逆にして使用する。特許文献１と逆にして使用すると、押え部３は下瞼２１に宛がわれるが上瞼１９に宛がわれない。そうすると、押え部３で上まつ毛２０を覆ったときに、押え部３は下瞼２１を押すので下瞼２１が圧迫されてへこむ。その結果、押え部３は上まつ毛２０の生え際よりも眼球２４方向に進む。このときに、特許文献１のように弾性覆い板が肉薄であると、弾性覆い板に押さえ付けられたまつ毛がその弾性力で弾性覆い板から抜け出して飛び出す虞がある。本発明は、押え部３が把持部２よりも肉厚に形成されているので、押え部３の端部１０も特許文献１の弾性覆い板の広幅先端よりも肉厚である。その結果、押え付けられた上まつ毛２０は、押え部３の内面８と下瞼２１の間に挟まれると共に、押え部３の端部１０と上瞼１９の縁部分との間に挟まれる。上まつ毛２０このようにしっかりと挟まれると、上まつ毛２０が押え部３からはみ出して上まつ毛２０の反発力によって押え部３から飛び出すことを防止できる。
【００２４】
図５に示すように、外層部５の端部は押え部３の端面９よりも突出して突条１１が形成されている。図７に示すようにアイライナー２３の使用時には、アイライナー２３を突条１１に宛がいながら移動させる。これにより、突条１１がアイライナー２３をガイドするのでアイラインのラインが崩れたりはみ出したりせずにきれいに描くことができる。
【００２５】
図２に示すように、内層部４は外層部５の両側部７，７よりも側方にはみ出して形成されている。そして、そのはみ出し部６，６が外層部５の両側部７，７を覆うように押え部３は形成されている。はみ出し部６，６はさらに把持部２の両側の全長に沿って延びて滑り止め部１３，１３を形成している。この滑り止め部１３，１３は他方の押え部１２まで延びてそれと一体につながっている。したがって、補助具を合成樹脂で成型するときは、最初に把持部２を成型し、次いで押え部３，１２と滑り止め部１３，１３を同時に成型すればよいから、補助具は２度成型で簡単に製造できる。滑り止め部１３，１３は把持部２の両側に設ける構造に限定されるものでなく、使用時に指が接触する他の表面に設ける構造であってもよい。例えば、把持部２を前述した２層の押え部３と同じような２層の構成にしてもよい。この場合は、押え部３と把持部２が同じ厚さになるときもあり、押え部３をさらに肉厚にしてもよい。さらには、把持部全体を厚手に形成し、把持部の外側面と内側面は柔軟でない合成樹脂で形成し、外側面と内側面で囲まれた内在部を内層部４と一体に形成し、その内在部を把持部の側面から露出させて滑り止め部とする構成であってもよい。
【００２６】
図２に示すように外層部５には基準マーク１４，１５，１５が設けられている。これは、押え部３を瞼に宛がうときに、目尻や黒目に対する基準マーク１４，１５，１５の最良の位置を決めておくことによって、押え部３の最良の位置を即座に決定することができて便利である。基準マークの下に、丸いぱっちり目の人のために「ｒｏｕｎｄ」の文字を設けたり、シャープな目の人のために「ｓｈａｒｐ」の文字を設けてもよい。図５に示すように、基準マーク１４は内層部４と一体に形成されており、外層部５に設けられている孔１６を介して外層部５側に露出している。他の基準マーク１５，１５や文字も同様の構成によって形成されている。
【００２７】
前述したように他方の押え部１２も押え部３と同様の構成で把持部２の他方の端部に形成されている。押え部１２の端面１７も凹の弧状曲面に形成されている。押え部１２の端面１７の弧状の半径は約２５ｍｍであり、押え部３の端面９の弧状の半径は約４０ｍｍである。これにより、使用者は自分に合った弧状の半径を有する押え部を選択することができる。なお、図５に示すように押え部１２の端部１８の端面１７は断面が水平であるが、これに限定されるものでなく、他の形状であってもよい。例えば、断面形状が山形をなしてもよい。また、符号２２は把持部２に設けた孔部であり、把持部２を持つときの滑り止めの作用をなす。また、製造時に最初に把持部２を成型し、次いで柔軟性を有する合成樹脂を成型するときに、最初に成型された把持部２を金型に位置決めするときにも孔部２２は使用される。
【図面の簡単な説明】
【００２８】
【図１】本発明の斜視図
【図２】本発明の外面図
【図３】本発明の内面図
【図４】本発明の上面図
【図５】図２におけるＡ−Ａ断面端面図
【図６】使用状態を示す正面図
【図７】使用状態を示す断面図
【符号の説明】
【００２９】
１  補助具
２  把持部
３  押え部
４  内層部
５  外層部
６  はみ出し部
７  外層部の側部
８  内面
９  端面
１０  端部
１１  突条
１２  押え部
１３  滑り止め部
１４  基準マーク
１５  基準マーク
１６  孔
１７  端面
１８  端部
１９  上瞼
２０  上まつ毛
２１  下瞼
２２  孔部
２３  アイライナー
２４  眼球
【図１】
2007215754.tif 000003
【図２】
2007215754.tif 000004
【図３】
2007215754.tif 000005
【図４】
2007215754.tif 000006
【図５】
2007215754.tif 000007
【図６】
2007215754.tif 000008
【図７】
2007215754.tif 000009